(57)【特許請求の範囲】
【請求項１】
回動支軸部を中心として軸回りに回動可能な一対の挟持アームを備えた魚挟み器において、
前記回動支軸部には、その軸方向の一端側へ向けて移動することで、前記一対の挟持アーム同士を任意の回動角度で回り止め固定し、軸方向の他端側へ向けて移動することで、前記回り止め固定を解除するロック機構が設けられていることを特徴とする魚挟み器。
【請求項２】
前記ロック機構は、
前記一対の挟持アームの一方に設けられた係止受部と、
前記一対の挟持アームの他方に回動不能かつ前記回動支軸部の軸方向に移動可能に設けられ、前記係止受部に係脱可能な係止部を有する係止軸と、を備え、
前記係止軸は、軸方向の一端側へ向けて移動することで前記係止受部に前記係止部が係止されて前記一対の挟持アーム同士を任意の回動角度で回り止め固定するとともに、軸方向の他端側へ向けて移動することで前記係止受部に対する前記係止部の係止を解除して前記一対の挟持アーム同士の回り止め固定を解除することを特徴とする請求項１に記載の魚挟み器。
【請求項３】
前記係止受部と前記係止部との対向部位の一方には、前記係止軸の軸周りに円周方向に並んだ複数の係止凹部が設けられており、他方には、前記係止凹部に係脱可能な係止凸部が設けられていることを特徴とする請求項２に記載の魚挟み器。
【請求項４】
前記回動支軸部は、前記一対の挟持アーム同士の回動角度を前記一対の挟持アーム同士が閉じる方向に段階的に回り止め固定するラチェット機構を備えており、
前記ラチェット機構による回り止め固定は、前記係止軸の軸方向の他端側へ向けた移動により解除されることを特徴とする請求項３に記載の魚挟み器。
【請求項５】
前記ロック機構には、前記一対の挟持アーム同士が最大限に開かれた状態で、前記係止軸の軸方向の一端側へ向けた移動を規制する規制手段が設けられていることを特徴とする請求項２から請求項４のいずれか１項に記載の魚挟み器。
【発明の詳細な説明】
【技術分野】
【０００１】
本発明は、魚釣り時等において魚の口や胴体を挟む際に使用する魚挟み器に関する。
【背景技術】
【０００２】
従来、釣り場で使用する魚挟み器として、特許文献１に開示されたものが知られている。
この魚挟み器では、上側の挟持アームに対して下側の挟持アームが回動支軸部周りに回動可能に設けられており、上側の挟持アームと下側の挟持アームとの間に魚の胴体等を挟持した状態で、上側の挟持アームの上面に取り付けられたレバー固定ねじを締め付ける操作を行うことで、上側の挟持アームに対して下側の挟持アームを回り止め固定することができ、これらの間に魚を掴んだまま保持することができるようになっている。
また、このような回り止め固定の解除は、レバー固定ねじの締め付けを緩める操作を行うことで可能である。
【先行技術文献】
【特許文献】
【０００３】
【特許文献１】実開平５−７８号公報
【発明の概要】
【発明が解決しようとする課題】
【０００４】
しかしながら、特許文献１の魚挟み器では、上側の挟持アームに対する下側の挟持アームの回り止め固定やその固定を解除する際に、上側の挟持アームの上面に取り付けられたレバー固定ねじを操作する必要があり、固定やその固定を解除する際の操作が煩雑であった。また、レバー固定ねじを操作する際には、柄とレバーとを挟持する手とは異なる側の手で操作する必要があり、操作性が悪かった。
特許文献１の魚挟み器におけるこのような問題は、回動支軸部を中心として軸回りに回動可能な一対の挟持アームを備えた魚挟み器において、前記したレバー固定ねじを設けた場合においても同様に生じる問題である。
【０００５】
本発明は、前記問題を解決するためになされたものであり、挟持アームの回り止め固定やその固定の解除を容易に行うことができ、操作性を向上することができる魚挟み器を提供することを課題とする。
【課題を解決するための手段】
【０００６】
このような課題を解決する本発明の魚挟み器は、回動支軸部を中心として軸回りに回動可能な一対の挟持アームを備えた魚挟み器において、前記回動支軸部には、その軸方向の一端側へ向けて移動することで、前記一対の挟持アーム同士を任意の回動角度で回り止め固定し、軸方向の他端側へ向けて移動することで、前記回り止め固定を解除するロック機構が設けられていることを特徴とする。
【０００７】
この魚挟み器によれば、一対の挟持アームの回動支軸部に設けられたロック機構を、その軸方向の一端側へ向けて移動することで、一対の挟持アーム同士を任意の回動角度で回り止め固定することができる。また、ロック機構を、その軸方向の他端側へ向けて移動することで、一対の挟持アーム同士の回り止め固定を解除することができる。
【０００８】
また、本発明は、前記ロック機構は、前記一対の挟持アームの一方に設けられた係止受部と、前記一対の挟持アームの他方に回動不能かつ前記回動支軸部の軸方向に移動可能に設けられ、前記係止受部に係脱可能な係止部を有する係止軸と、を備え、前記係止軸は、軸方向の一端側へ向けて移動することで前記係止受部に前記係止部が係止されて前記一対の挟持アーム同士を任意の回動角度で回り止め固定するとともに、軸方向の他端側へ向けて移動することで前記係止受部に対する前記係止部の係止を解除して前記一対の挟持アーム同士の回り止め固定を解除することを特徴とする。
【０００９】
この魚挟み器によれば、ロック機構は、一対の挟持アームの一方に設けられた係止受部と、一対の挟持アームの他方に回動不能かつ回動支軸部の軸方向に移動可能に設けられ、係止受部に係脱可能な係止部を有する係止軸と、を備えてなるので、少ない部品点数で簡単に構成することができる。
また、係止軸を軸方向の一端側へ向けて移動することで一対の挟持アーム同士を任意の回動角度で回り止め固定することができ、係止軸を軸方向の他端側へ向けて移動することで一対の挟持アーム同士の回り止め固定を解除することができる。つまり、係止軸の軸方向に沿った単純な移動によって、一対の挟持アーム同士の回り止め固定およびその回り止め固定の解除を好適に行うことができる。
【００１０】
また、本発明は、前記係止受部と前記係止部との対向部位の一方には、前記係止軸の軸周りに円周方向に並んだ複数の係止凹部が設けられており、他方には、前記係止凹部に係脱可能な係止凸部が設けられていることを特徴とする。
【００１１】
この魚挟み器によれば、係止軸が軸方向の一端側へ向けて移動することで、係止受部と係止部との対向部位の一方に設けられた複数の係止凹部に、他方に設けられた係止凸部が係止され、一対の挟持アーム同士が任意の回動角度で回り止め固定される。また、係止軸が軸方向の他端側へ向けて移動することで、複数の係止凹部と係止凸部との係止が外れて一対の挟持アーム同士の回り止め固定が解除される。
【００１２】
また、本発明は、前記回動支軸部は、前記一対の挟持アーム同士の回動角度を前記一対の挟持アーム同士が閉じる方向に段階的に回り止め固定するラチェット機構を備えており、前記ラチェット機構による回り止め固定は、前記係止軸の軸方向の他端側へ向けた移動により解除されることを特徴とする。
【００１３】
この魚挟み器によれば、回動支軸部に備わるラチェット機構は、係止軸を軸方向の一端側へ向けて付勢し、一対の挟持アーム同士の回動角度を一対の挟持アーム同士が閉じる方向に段階的に回り止め固定するようになっているので、一対の挟持アームの挟持操作を行うことによって、一対の挟持アーム同士が所望の回動角度で回り止め固定されることとなり、一対の挟持アーム同士を所望の回動角度で保持することができる。
【００１４】
また、本発明は、前記ロック機構には、前記一対の挟持アーム同士が最大限に開かれた状態で、前記係止軸の軸方向の一端側へ向けた移動を規制する規制手段が設けられていることを特徴とする。
【００１５】
この魚挟み器によれば、一対の挟持アーム同士が最大限に開かれると、ロック機構に設けられた規制手段によって係止軸の軸方向の一端側へ向けた移動が規制されるので、一対の挟持アーム同士が最大限に開かれた状態において一対の挟持アーム同士が回り止め固定されてしまうのを回避することができる。
【発明の効果】
【００１８】
本発明によれば、一対の挟持アームの回動支軸部に設けられたロック機構を、その軸方向の一端側へ向けて移動することで一対の挟持アーム同士を回り止め固定することができ、また、他端側へ向けて移動することで一対の挟持アーム同士の回り止め固定を解除することができるので、一対の挟持アーム同士の固定やその固定の解除が握持している片方の手の指の操作で可能であり、操作性を向上することができる魚挟み器が得られる。
また、一対の挟持アーム同士の固定やその固定の解除は、回動支軸部の軸方向に沿う直線的な移動によるものであるので、固定やその固定の解除を迅速に行うことができ、使い勝手がよい。
【００１９】
また、ロック機構が、係止受部と、係止受部に係脱可能な係止部を有する係止軸と、を備えてなる構成では、少ない部品点数でロック機構を簡単に構成することができるので、任意の回動角度で一対の挟持アーム同士を回り止め固定することができる構成を備えていながら、コストの低減を図ることができる。
また、係止軸の軸方向に沿った単純な移動によって、一対の挟持アーム同士の回り止め固定および回り止め固定の解除を好適に行うことができるので、固定やその固定の解除を迅速に行うことができ、使い勝手がよい。
【００２０】
また、係止受部と係止部との対向部位の一方に設けられた複数の係止凹部に、他方に設けられた係止凸部が係止され、一対の挟持アーム同士が任意の回動角度で回り止め固定され、また、係止軸が軸方向の他端側へ向けて移動することで、複数の係止凹部と係止凸部との係止が外れて一対の挟持アーム同士の回り止め固定が解除される構成では、係脱の構造が簡単であり、製造や組み付けが行い易いという利点が得られる。このことはコストの低減に寄与する。
【００２１】
ラチェット機構を備えた構成では、一対の挟持アームを挟持操作する過程において、一対の挟持アーム同士を所望の回動角度で保持することができるので、挟持操作時に、いちいち係止軸の軸方向の一端側へ向けた移動操作を行う必要がなくなり、一対の挟持アーム同士の回り止め固定が行い易く、操作性に優れた魚挟み器が得られる。
【００２２】
また、ロック機構に、一対の挟持アーム同士が最大限に開かれた状態で、係止軸の軸方向の一端側へ向けた移動を規制する規制手段が設けられている構成では、一対の挟持アーム同士が最大限に開かれた状態において一対の挟持アーム同士が回り止め固定されてしまうのを回避することができるので、収納時や不使用時等において、不意に一対の挟持アーム同士がロックされてしまうことがなくなり、使い勝手が向上する。
【図面の簡単な説明】
【００２４】
【図１】（ａ）は本発明の第１実施形態に係る魚挟み器を示す正面図、（ｂ）は左側面図である。
【図２】（ａ）は、図１（ａ）におけるＡ−Ａ線断面図、（ｂ）は図２（ａ）における分解断面図である。
【図３】一方の挟持アームを示す図であり、（ａ）は正面図、（ｂ）は左側面図、（ｃ）は右側面図、（ｄ）は背面図、（ｅ）は図３（ｄ）におけるＤ１−Ｄ１線断面図である。
【図４】他方の挟持アームを示す図であり、（ａ）は正面図、（ｂ）は左側面図、（ｃ）は右側面図、（ｄ）は背面図、（ｅ）は図４（ａ）におけるＤ２−Ｄ２線断面図である。
【図５】係止軸を示す図であり、（ａ）は正面図、（ｂ）は平面図、（ｃ）は底面図、（ｄ）は縦断面図、（ｅ）は斜視図である。
【図６】支軸を示す図であり、（ａ）は正面図、（ｂ）は左側面図、（ｃ）は底面図、（ｄ）は斜視図である。
【図７】係止キャップを示す図であり、（ａ）は正面図、（ｂ）は平面図、（ｃ）は底面図、（ｄ）は左側面図、（ｅ）は縦断面図、（ｆ）は斜視図である。
【図８】（ａ）は回り止め固定の解除状態を示す断面図、（ｂ）は回り止め固定の状態を示す断面図である。
【図９】（ａ）（ｂ）は使用状態を示す説明図である。
【図１０】本発明の第２実施形態に係る魚挟み器を示す図であり、（ａ）は係止受部を示す斜視図、（ｂ）は回り止め固定の状態を示す断面図、（ｃ）は回り止め固定の解除状態を示す断面図である。
【図１１】本発明の第３実施形態に係る魚挟み器を示す図であり、（ａ）は係止受部を示す図、（ｂ）は係止軸における係止部を示す図である。
【図１２】（ａ）係止部と係止受部との係止状態を示す説明図、（ｂ）一対の挟持アーム同士が最大限に開かれた状態における係止部と係止受部との位置関係を示す説明図である。
【発明を実施するための形態】
【００２５】
以下、本発明に係る魚挟み器の実施形態について図面を参照しながら説明する。なお、説明において、同一の要素には同一の符号を用い、重複する説明は省略する。また、「前、後」、「左、右」、「上、下」をいうときは、図１（ａ）（ｂ）に示した方向を基準とする。
【００２６】
（第１実施形態）
図１（ａ）（ｂ）に示すように、魚挟み器１は、一対の挟持アーム２，３が回動支軸部となる連結部２３，３３を中心として軸回りに回動可能に連結されている。そして、連結部２３，３３には、一対の挟持アーム２，３同士を任意の回動角度で回り止め固定することが可能なロック機構１０が設けられている。
【００２７】
一対の挟持アーム２，３は、魚を挟持する部分となる挟持部２１，３１と、手で掴む部分となる握り部２２，３２と、を備え、中央部分に設けられた連結部２３，３３で相互に連結されている。連結された状態で、図１（ａ）に示すように、挟持部２１，３１の間には、湾曲凹状の隙間Ｓが形成されるようになっている。このような隙間Ｓを有することで一対の挟持アーム２，３は、魚の胴体等の湾曲した厚みのある部分を挟持し易いものとなっている。
また、握り部２２，３２の間には、握り部２２，３２同士を相互に開く方向に付勢するばね１７が介在されている。
【００２８】
挟持部２１，３１の内側には、前後二列の歯部２１ａ，２１ｂ、３１ａ，３１ｂが相互に間隔を空けて対向する状態にそれぞれ設けられており、また、挟持部２１，３１の上端部２１ｇ，３１ｇの内側には、上端歯部２１ｂ１，３１ｂ１が設けられている。
ここで、挟持部２１，３１の内側前縁２１ｃ，３１ｃは、内側後縁２１ｊ，３１ｊ（図３（ｃ）（ｄ），図４（ｂ）（ｄ）参照）よりも湾曲の曲率が緩やかとなっており、これによって、図１（ａ）に示すように、挟持部２１，３１を閉じた正面視において、内側前縁２１ｃ，３１ｃにより形成される開口を通じて、後側の歯部２１ｂ，３１ｂおよびこの後側の歯部２１ｂ，３１ｂに連続している上端歯部２１ｂ１，３１ｂ１が臨むようになっている。
【００２９】
挟持部２１の側面は、図３（ｂ）に示すように、長手方向に延びる境界線２１ｄを境として湾曲した前側面２１ｅと後側面２１ｆとを備えてなる。また、挟持部３１の側面も同様に、図４（ｃ）に示すように、長手方向に延びる境界線３１ｄを境として湾曲した前側面３１ｅと後側面３１ｆとを備えてなる。これによって、挟持部２１，３１は、魚の口等に押し込み易い湾曲形状とされている。
【００３０】
挟持部２１，３１の上端部２１ｇ，３１ｇは、図１（ａ）に示すように、上端へ向けてテーパー状に窄まっており、その内側には、鈎部２１ｇ１，３１ｇ１が形成されている。
なお、挟持部２１，３１が閉じられて鈎部２１ｇ１，３１ｇ１同士が当接した状態において、上端歯部２１ｂ１，３１ｂ１は噛み合うことがなく、若干の隙間を有して対峙するようになっている。
【００３１】
また、正面側から見て、挟持部２１，３１の上端部２１ｇ，３１ｇの背面側には、図３（ｂ），図４（ｃ）に示すように、傾斜状に切り欠かれた傾斜部２１ｈ，３１ｈが形成されている。
【００３２】
前後二列の歯部２１ａ，２１ｂ、３１ａ，３１ｂおよび上端歯部２１ｂ１，３１ｂ１は、図３（ａ）（ｃ），図４（ａ）（ｂ）に示すように、魚に対して喰い込み易い正四角錐形状とされている。本実施形態では、図３（ｃ），図４（ｂ）に示すように、内側前縁２１ｃ，３１ｃ、内側後縁２１ｊ，３１ｊの延在方向に、各歯部２１ａ，２１ｂ、３１ａ，３１ｂの各底面の対角線方向が沿うように配置されている。また、傾斜部２１ｈ，３１ｈにおいて、その延在方向に各上端歯部２１ｂ１、３１ｂ１の各底面の対角線方向が沿うように配置されている。
【００３３】
握り部２２は、図３（ａ）〜（ｄ）に示すように、連結部２３を介して挟持部２１と一体的に設けられており、挟持部２１と握り部２２とは、連結部２３の軸心を対称の中心とする点対称の湾曲形状とされている。同様に、握り部３２は、図４（ａ）〜（ｄ）に示すように、連結部３３を介して挟持部３１と一体的に設けられており、挟持部３１と握り部３２とは、連結部３３の軸心を対称の中心とする点対称の湾曲形状とされている。
【００３４】
握り部２２，３２の外側面には、図３（ａ）（ｃ），図４（ａ）（ｂ）に示すように、突出部２２ａ，３２ａ、湾曲凹状の指掛け部２２ｂ，３２ｂ、および湾曲凸条の指掛け部２２ｃ，３２ｃが形成されている。
また、握り部２２，３２の内側面には、図３（ｂ），図４（ｃ）に示すように、肉抜き部２２ｄ，３２ｄが形成されている。また、握り部２２，３２の内側面には、ばね１７（図１（ａ）参照）を保持するための保持部２２ｆ，３２ｆが設けられている。
【００３５】
連結部２３は、図３（ｄ）（ｅ）に示すように、有底円筒状を呈しており、内側面２３ａには、周方向に９０度の間隔で軸方向に延びる４つの突状部２４（図３（ｅ）では３つのみ図示）が形成されている。また、連結部２３の底部には、後記する円筒軸１１が挿通される丸孔２３ｂが形成されている。なお、連結部２３の前面２３ｃは、平らに形成されており、この前面２３ｃには、挟持アーム３の連結部３３の後面３３ｃが密着した状態で当接するようになっている。
【００３６】
連結部３３は、図４（ａ）（ｅ）に示すように、有底円筒状を呈しており、内側面３３ａに連続する底部には、円筒部３４ａが立設されている。円筒部３４ａの外周部には、図４（ａ）に示すように、放射状に延びるように複数の放射状リブ３４ｂが形成されている。これによって、放射状リブ３４ｂの間には、連結部３３の軸周りに円周方向に並ぶようにして（放射状に延びるようにして）複数の係止凹部３４ｃが設けられている。
ここで、複数の係止凹部３４ｃは、特許請求の範囲にいうロック機構１０の係止受部に相当する。
また、円筒部３４ａの内側には、円筒軸１１が挿通される挿通孔３３ｂが形成されている。
【００３７】
ロック機構１０は、図２（ａ）に示すように、前記した係止受部として機能する複数の係止凹部３４ｃと、この係止凹部３４ｃに係脱可能な係止部としての複数の係止凸部１４が設けられた係止軸１３とを備えている。
以下では、連結部２３，３３の連結構造について説明しつつロック機構１０について説明する。
図２（ａ）に示すように、連結部２３，３３は、連結部２３の丸孔２３ｂおよび連結部３３の挿通孔３３ｂに円筒軸１１を挿通してこれに係止リング１２を係止することで、軸回りに回動可能かつ軸方向に離脱不能に連結されるようになっている。そして、連結部３３側から円筒軸１１の内側を通じて係止軸１３が挿通され、連結部２３側から係止軸１３に係止キャップ１５が連結されるようになっている。
【００３８】
円筒軸１１は、図６（ａ）〜（ｄ）にも示すように、円筒状の胴部１１ｂと、胴部１１ｂの一端に設けられたフランジ部１１ａと、胴部１１ｂの他端に設けられた抜け止め部１１ｃと、胴部１１ｂに形成されたスリット１１ｅと、を備えている。胴部１１ｂは、連結部２３の丸孔２３ｂ、および連結部３３の挿通孔３３ｂに挿通可能であり、挿通された状態で、抜け止め部１１ｃの側方の胴部１１ｂに、係止リング１２が係止可能である。
なお、胴部１１ｂは、挿通時にスリット１１ｅによって弾性変形可能となっている。
【００３９】
係止軸１３は、図５（ａ）〜（ｅ）にも示すように、キャップ部１３ａと、キャップ部１３ａの底部に立設された段付き形状の軸部１３ｂと、キャップ部１３ａの内側において軸部１３ｂを取り囲むように設けられた複数の係止凸部１４と、を備えており、円筒軸１１の内側に軸部１３ｂが挿通されて、連結部２３，３３において軸方向に移動可能に取り付けられる。
キャップ部１３ａは、連結部３３の内側面３３ａ（図２（ｂ）参照、以下同じ）の内側に挿入可能な大きさに形成されており、後記する挟持アーム２，３（図１参照、以下同じ）の回り止め固定時に軸方向に押圧されて、連結部３３の内側面３３ａの内側に挿入されるようになっている。
軸部１３ｂは、円筒軸１１の内側に挿通可能であり、挿通された状態で軸部１３ｂの先端の四角筒状とされた先端嵌合部１３ｃが係止キャップ１５の底部１５ｄ（図２（ｂ）参照、以下同じ）に形成された嵌合孔１５ｃ（図２（ｂ）参照、以下同じ）に嵌合可能となっている。
複数の係止凸部１４は、連結部３３の複数の係止凹部３４ｃに対して係脱可能であり、後記する挟持アーム２，３の回り止め固定時に、図８（ａ）に示すように係止軸１３が軸方向の一端側となる連結部２３側（係止キャップ１５側）に向けて押圧されることで複数の係止凹部３４ｃに係止し、また、挟持アーム２，３の回り止め固定の解除時に、図８（ｂ）に示すように、係止キャップ１５を介して係止軸１３が軸方向の他端側となる連結部３３側（係止軸１３のキャップ部１３ａ側）に向けて押圧されることで複数の係止凹部３４ｃとの係止が解除されるようになっている。
【００４０】
係止キャップ１５は、図７（ａ）〜（ｆ）にも示すように、有底円筒状を呈しており、その周壁１５ａには、軸方向に延びる４つの溝部１５ｂが形成されている。この溝部１５ｂは、連結部２３（図３（ｄ）（ｅ）参照、以下同じ）に形成された４つの突状部２４に係合可能であり、係止キャップ１５は、各溝部１５ｂが連結部２３の突状部２４にそれぞれ係合する状態で、連結部２３の内側面２３ａの内側に装着されるようになっている。
係止キャップ１５の底部１５ｄには、嵌合孔１５ｃが形成されている。この嵌合孔１５ｃには、係止軸１３の軸部１３ｂの先端嵌合部１３ｃが嵌合するようになっており、この嵌合によって係止軸１３と係止キャップ１５とが連結されるようになっている。
なお、係止キャップ１５の底部１５ｄの外側面には、段部１５ｅが形成されており、この段部１５ｅに円板状の蓋部１６（図２（ｂ）参照）が装着されるようになっている。蓋部１６の装着面には、嵌合孔１５ｃに係合する段差部１６ｃ（図２（ｂ）参照）が形成されている。
【００４１】
ここで、前記した係止キャップ１５の各溝部１５ｂと連結部２３の各突状部２４との係合状態は、後記する挟持アーム２，３の回り止め固定時に、係止軸１３が軸方向の一端側へ向けて押圧操作された際にも好適に維持されるようになっており、これによって、係止軸１３は、挟持アーム２に回動不能かつ連結部２３，３３の軸方向に移動可能に取り付けられるようになっている。
【００４２】
次に、一対の挟持アーム２，３同士を回り止め固定する際の操作、および回り止め固定を解除する際の操作について説明する。
一対の挟持アーム２，３同士を回り止め固定する際には、例えば一対の挟持アーム２，３を手で掴んで所望の回動角度に回動しておいてから、図８（ａ）に示すように、連結部２３側に向けて係止軸１３のキャップ部１３ａを図中矢印Ｘ１方向に押圧し、キャップ部１３ａを連結部３３の内側面３３ａの内側に押し込む。
そうすると、図８（ｂ）に示すように、係止軸１３およびこれに連結された係止キャップ１５が一体的にスライド移動し、係止軸１３の複数の係止凸部１４が連結部３３の複数の係止凹部３４ｃに係止される。そして、係止キャップ１５が連結部２３の外側方に突出した状態となる。このように突出した状態において、係止キャップ１５の各溝部１５ｂと連結部２３の各突状部２４との係合状態は好適に維持されており、係止軸１３は、連結部２３の軸周りに回動不能かつ連結部２３の軸方向に移動可能に保持されている。
これによって、一対の挟持アーム２，３同士が所望の回動角度で回り止め固定された状態に保持されることとなる。
【００４３】
一方、一対の挟持アーム２，３同士の回り止め固定を解除する際には、図８（ｂ）に示すように、連結部３３側に向けて係止キャップ１５の底部１５ｄを図中矢印Ｘ２方向に押圧し、係止キャップ１５を連結部２３の内側面２３ａの内側に押し込む。
そうすると、係止キャップ１５に押されるようにして係止軸１３がスライド移動し、図８（ａ）に示すように、係止軸１３の複数の係止凸部１４と連結部３３の複数の係止凹部３４ｃとの係止状態が解除され、係止軸１３のキャップ部１３ａが連結部３３の外側方に突出する。
これによって、一対の挟持アーム２，３同士の回り止め固定が解除されることとなる。
【００４４】
また、使用に際しては、挟持部２１，３１の傾斜部２１ｈ，３１ｈを、図９（ａ）に示すように、床面ＧＬ等に当接させるようにして魚挟み器１を傾斜姿勢とすることにより、横たわっている魚Ｆの胴部Ｆ１等をうまく挟持することができる。つまり、床面ＧＬ等に対して魚挟み器１を垂直に立てるような挟持姿勢をとる必要がなくなり、挟持操作が行い易くなる。
【００４５】
また、図９（ｂ）に示すように、挟持部２１，３１の上端部２１ｇ，３１ｇの内側に設けられた鈎部２１ｇ１，３１ｇ１を利用して、魚Ｆの口を挟持してもよい。この場合、上端部２１ｇ，３１ｇの内側に設けられた上端歯部２１ｂ１，３１ｂ１を魚Ｆの口に食い込ませるようにして好適に挟持することができる。
【００４６】
以上説明した本実施形態の魚挟み器１によれば、ロック機構１０の係止軸１３を、その軸方向の一端側へ向けて移動することで一対の挟持アーム２，３同士を回り止め固定することができ、また、軸方向の他端側へ向けて移動することで一対の挟持アーム２，３同士の回り止め固定を解除することができるので、一対の挟持アーム２，３同士の固定やその固定の解除が容易であり、操作性を向上することができる魚挟み器１が得られる。
また、一対の挟持アーム２，３同士の固定やその固定の解除は、係止軸１３（回動支軸部）の軸方向に沿う直線的な移動によるものであるので、固定やその固定の解除を迅速に行うことができ、使い勝手がよい。
【００４７】
また、ロック機構１０が、係止受部として機能する複数の係止凹部３４ｃと、この係止凹部３４ｃに係脱可能な係止部として機能する係止凸部１４を有する係止軸１３と、を備えてなるので、少ない部品点数でロック機構１０を簡単に構成することができ、任意の回動角度で一対の挟持アーム２，３同士を回り止め固定することができる構成を備えていながら、コストの低減を図ることができる。
また、係脱の構造が簡単であり、製造や組み付けが行い易いという利点が得られる。このことはコストの低減に寄与する。
また、係止軸１３の軸方向に沿った単純な移動によって、一対の挟持アーム２，３同士の回り止め固定および回り止め固定の解除を好適に行うことができるので、固定やその固定の解除を迅速に行うことができ、使い勝手がよい。
【００４８】
また、使用者による係止軸１３の軸方向の一端側へ向けた押し込み操作に応じて、一対の挟持アーム２，３同士が任意の回動角度で回り止め固定され、他端側へ向けた押し込み操作に応じて、その回り止め固定が解除されるので、一対の挟持アーム２，３同士の固定やその固定の解除が容易であり、操作性を向上することができる魚挟み器１が得られる。
また、一対の挟持アーム２，３を挟持する際の操作方向（挟持方向）とは異なる方向となる軸方向の一端側へ向けた押し込み操作を行ったときにはじめて、一対の挟持アーム２，３同士が回り止め固定され、また、これとは反対側となる軸方向の他端側へ向けた押し込み操作を行ったときにはじめて、回り止め固定の解除を行うことができるので、一対の挟持アーム２，３の回動操作中に不意に一対の挟持アーム２，３同士が回り止め固定されてしまうのを確実に防止することができ、また、回り止め固定後に不意に一対の挟持アーム２，３同士の回り止め固定が解除されるのを確実に防止することができる。したがって、使い勝手の良い魚挟み器１が得られる。
【００４９】
また、ロック機構１０は、係止軸１３の軸方向に沿う方向の力が作用した場合に、一対の挟持アーム２，３同士を回り止め固定し、またはその回り止め固定を解除するようになっているので、一対の挟持アーム２，３同士の固定やその固定の解除が容易であり、操作性を向上することができる魚挟み器１が得られる。
また、一対の挟持アーム２，３の回動操作する際の挟持力（掴み力）のみでは、一対の挟持アーム２，３同士が回り止め固定されることはないので、挟持操作中において不意に一対の挟持アーム２，３同士が回り止め固定されてしまうのを確実に防止することができ、また、回り止め固定後においても不意に一対の挟持アーム２，３の回り止め固定が解除されてしまうのを確実に防止することができる。したがって、使い勝手の良い魚挟み器１が得られる。
また、係止軸１３の軸方向に沿う方向の力で一対の挟持アーム２，３同士の回り止め固定やその解除を行うことができるので、回り止め固定時やその解除時の操作力が、一対の挟持アーム２，３の回動方向に対して作用することがなく、これによって、一対の挟持アーム２，３の回動角度を好適に保持しながら回り止め固定やその解除を好適に行うことができ、操作性がよい。
【００５０】
（第２実施形態）
図１０（ａ）〜（ｃ）を参照して第２実施形態の魚挟み器について説明する。
本実施形態の魚挟み器１が前記第１実施形態と異なるところは、ロック機構１０がラチェット機構４０を備えている点である。
【００５１】
ラチェット機構４０は、係止軸１３を軸方向の一端側へ向けて付勢するコイルばね４１と、連結部３３の円筒部３４ａの外周部において周方向に一定のピッチで配列された爪リブ４２と、を備えて構成され、複数の爪リブ４２の間に形成される複数の係止凹部３４ｃに対して係止軸１３の係止凸部１４が係脱可能となっている。
【００５２】
コイルばね４１は、図１０（ｂ）に示すように、係止リング１２と係止キャップ１５の底部１５ｄとの間に縮設されており、これによって、係止軸１３は、軸方向の一端側となる連結部２３側に向けて付勢されている。つまり、連結部３３の複数の係止凹部３４ｃに対して係止軸１３の係止凸部１４が付勢力をもって自動的に係止するようになっている。
【００５３】
爪リブ４２は、傾斜部４２ａと係止部４２ｂとを備えており、係止凹部３４ｃに係止された係止凸部１４が傾斜部４２ａを乗り越えることで一対の挟持アーム２，３同士が閉じる方向に段階的に回動することを許容し、係止凸部１４が係止部４２ｂに当接して係止されることで一対の挟持アーム２，３同士が開く方向に回動するのを規制する。すなわち、一対の挟持アーム２，３の挟持操作を行うことによって、一対の挟持アーム２，３同士が所望の回動角度で回り止め固定されることとなり、一対の挟持アーム２，３同士を所望の回動角度で段階的に保持することができるようになっている（図１０（ｂ）参照）。
【００５４】
一方、一対の挟持アーム２，３同士の回り止め固定を解除する際には、図１０（ｃ）に示すように、前記と同様にして、連結部３３側に向けて係止キャップ１５の底部１５ｄを図中矢印Ｘ２方向に押圧し、コイルばね４１の付勢力に抗して係止キャップ１５を連結部２３の内側面２３ａの内側に押し込む。
そうすると、係止キャップ１５に押されるようにして係止軸１３がスライド移動し、係止軸１３の複数の係止凸部１４と連結部３３の複数の係止凹部３４ｃとの係止状態が解除され、係止軸１３のキャップ部１３ａが連結部３３の外側方に突出する（図１０（ｃ）参照）。
これによって、一対の挟持アーム２，３同士の回り止め固定が解除されることとなる。
なお、係止キャップ１５を押し込んだまま、一対の挟持アーム２，３同士を掴む手の力を緩めることで、一対の挟持アーム２，３同士は、ばね１７（図１（ａ）参照）の付勢力によって自動的に開くようになっている。なお、所望の回動角度で一対の挟持アーム２，３を保持したい場合には、開く途中で、係止キャップ１５の押圧を中止すればよい。
【００５５】
本実施形態の魚挟み器１によれば、ラチェット機構４０は、係止軸１３を軸方向の一端側へ向けて付勢し、一対の挟持アーム２，３の回動角度を一対の挟持アーム２，３同士が閉じる方向に段階的に回り止め固定するようになっているので、一対の挟持アーム２，３の挟持操作を行うことによって、一対の挟持アーム２，３同士が所望の回動角度で回り止め固定されることとなり、所望の回動角度で好適に保持することができる。
これによって、挟持操作時には、係止軸１３の軸方向の一端側へ向けた押圧操作をいちいち行う必要がなくなり、一対の挟持アーム２，３同士の回り止め固定が行い易い。したがって、操作性に優れた魚挟み器１が得られる。
【００５６】
（第３実施形態）
図１１，図１２を参照して第３実施形態の魚挟み器について説明する。
本実施形態の魚挟み器１が前記第１，第２実施形態と異なるところは、一対の挟持アーム２，３同士が最大限に開かれた状態で、係止軸１３の軸方向の一端側へ向けた移動を規制することが可能な規制手段５０が設けられている点である。
【００５７】
図１１（ａ）に示すように、規制手段５０は、連結部３３に設けられた放射状リブ３４ｂの間に設けられた扇状リブ５１と、係止軸１３の係止凸部１４の間に設けられ、前記した扇状リブ５１およびこの扇状リブ５１に隣接している複数の放射状リブ３４ｂ１，３４ｂ２を一緒に収容することができる収容スペース５２とを備えて構成されている。
【００５８】
扇状リブ５１は、例えば、３つの放射状リブ３４ｂを合わせた大きさに相当する大きさを有しており、本実施形態では、連結部３３の軸を中心として点対称の位置関係で連結部３３に一対設けられている。
一方、収容スペース５２は、係止軸１３のキャップ部１３ａの内側において、扇状リブ５１と対応する（対峙する）位置に設けられており、本実施形態では、扇状リブ５１とこれに隣接する２つの放射状リブ３４ｂ１，３４ｂ２とをその内側に一緒に収容することのできる広さを備えて形成されている。収容スペース５２は、係止軸１３のキャップ部１３ａの内側において、係止軸１３の軸を中心として点対称の位置関係でキャップ部１３ａに一対設けられている。
【００５９】
ここで、図１２（ａ）は、一対の挟持アーム２，３同士が一番閉じられた状態を示しており、図１２（ｂ）は、一対の挟持アーム２，３同士が最大に開かれた状態を示している。図１２（ａ）において、係止軸１３の１つの収容スペース５２内には、連結部３３の扇状リブ５１と、この扇状リブ５１の時計回り方向に隣接する２つの放射状リブ３４ｂ１，３４ｂ２が対峙しており、これらが収容スペース５２内に収容可能となっている。つまり、一対の挟持アーム２，３同士が一番閉じられた状態において、係止軸１３を押圧操作した際には、収容スペース５２内に扇状リブ５１と２つの放射状リブ３４ｂ１，３４ｂ２をともに収容することができ、これによって軸方向の一端側に向けて係止軸１３を押し込むことが可能となっている。したがって、係止軸１３の押し込みにより、一対の挟持アーム２，３同士を回り止め固定することができ、また、係止キャップ１５を押し込む操作することで、回り止め固定の解除を行うことができる。
【００６０】
このような、一対の挟持アーム２，３同士の回り止め固定、および回り止め固定の解除操作は、収容スペース５２内に収まるように扇状リブ５１が対峙する位置関係にあるときに可能である。したがって、図１２（ｂ）に示すように、扇状リブ３５が係止凸部１４ａ１にかかる位置まで開いて（回動して）しまうと、これらが対峙する関係となるため、係止軸１３の押し込み操作が不可能となり、一対の挟持アーム２，３同士の回り止め固定、および回り止め固定の解除操作を行うことができなくなる。
【００６１】
本実施形態では、このように扇状リブ３５が係止凸部１４ａ１にかかる位置まで開い開いた状態を、一対の挟持アーム２，３同士が最大限に開かれた状態に設定してある。つまり、一対の挟持アーム２，３同士が最大限に開かれた状態では、規制手段５０によって係止軸１３の軸方向の一端側へ向けた移動が規制され、一対の挟持アーム２，３同士の回り止め固定ができないように構成されている。
【００６２】
本実施形態の魚挟み器１によれば、一対の挟持アーム２，３同士が最大限に開かれると、規制手段５０によって係止軸１３の軸方向の一端側へ向けた移動が規制されるので、一対の挟持アーム２，３同士が最大限に開かれた状態において一対の挟持アーム２，３同士が回り止め固定されてしまうのを回避することができる。
したがって、一対の挟持アーム２，３同士が最大限に開かれた状態において、収納時や不使用時等において、不意に一対の挟持アーム２，３同士がロックされてしまうことがなくなり、使い勝手が向上する。
【００６３】
前記各実施形態においては、係止軸１３に係止凸部１４を設け、連結部３３に係止凹部３４ｃを設けたが、これに限られることはなく、係止軸１３に係止凹部を設け、連結部３３に係止凸部を設けてもよい。
また、係止軸１３の外周面に直接に、係止凸部や係止凹部を設けてもよい。
また、係止凸部や係止凹部の形状は、種々のものを採用することができ、その形成個数も任意に設定することができる。
【００６４】
さらに、前記各実施形態では、一対の挟持アーム２，３同士の形状が左右で略対称形状とされたものを示したが、これに限られることはなく、相互に大きさや形状の異なる一対の挟持アームを組み合わせた魚挟み器においても、本発明を好適に適用することができる。
また、握り部２２，３２同士を相互に開く方向に付勢するばね１７は、必ずしも設けなくてもよい。ばね１７を設けない場合には、例えば、握り部２２，３２に指を通すための孔や指掛け部を設けることにより、一対の挟持アーム同士の回動操作を好適に行うことができる。
【符号の説明】
【００６５】
１    魚挟み器
２，３    挟持アーム
１０      ロック機構
１３      係止軸
１４      係止凸部（係止部）
２１，３１    挟持部
３４ｃ    係止凹部（係止受部）
４０      ラチェット機構
５０      規制手段
【図１】
0005739661.tif 000002
【図２】
0005739661.tif 000003
【図３】
0005739661.tif 000004
【図４】
0005739661.tif 000005
【図５】
0005739661.tif 000006
【図６】
0005739661.tif 000007
【図７】
0005739661.tif 000008
【図８】
0005739661.tif 000009
【図９】
0005739661.tif 000010
【図１０】
0005739661.tif 000011
【図１１】
0005739661.tif 000012
【図１２】
0005739661.tif 000013